(57)【要約】【課題】収納のためにタオルを折り畳む作業を不要にしつつ、必要に応じてタオルを１枚ずつ取り出すことができる理美容室のタオル収納構造物を提供すること。【解決手段】筒状に形成されると共に鉛直方向に軸方向を向けて配置されるタオル収納部２２に、無造作に丸められたタオルＴが補充口２８から上下に重ねて収納される。タオルＴを折り畳むことなく無造作に丸めた状態で収納できるので、タオルＴを折り畳む作業を不要にできる。タオル収納部２２に収納されたタオルＴは取出口２７から自然に落下することがないので、取出口２７に露呈したタオルＴを掴んで引き下ろすことで、タオルＴを１枚ずつ取り出すことができる。【選択図】図２
2015139483.tif 000002
【特許請求の範囲】
【請求項１】
筒状に形成されると共に鉛直方向に軸方向を向けて配置されるものであり、無造作に丸められたタオルが上下に重ねて収納されるタオル収納部と、
そのタオル収納部の鉛直方向下側の一端に開口する取出口と、
その取出口が開口する一端の反対側の他端側に開口する補充口とを備え、
前記取出口は、前記無造作に丸められたタオルを前記タオル収納部の水平面に投影したときの投影面と少なくとも一部が重なるように内縁の大きさが設定されていることを特徴とする理美容室のタオル収納構造物。
【請求項２】
前記タオル収納部は、前記無造作に丸められたタオルが水平方向に２以上並ばない大きさに水平方向の内寸が設定されていることを特徴とする請求項１記載の理美容室のタオル収納構造物。
【請求項３】
前記タオル収納部は、作業室の奥行方向に複数が隣接して並設されていることを特徴とする請求項１又は２に記載の理美容室のタオル収納構造物。
【請求項４】
前記タオル収納部は、軸方向に延設される板状の延設部を挟んで作業室の手前側および奥側に２つが隣接して並設されており、
前記タオル収納部のそれぞれに形成される前記取出口は、前記延設部を挟んで互いに隣接していることを特徴とする請求項３記載の理美容室のタオル収納構造物。
【請求項５】
水平方向に軸方向を向けて前記タオル収納部の下部に配置される支軸を備え、
前記タオル収納部は、前記支軸を中心に傾倒可能に構成されることを特徴とする請求項１から４のいずれかに記載の理美容室のタオル収納構造物。
【発明の詳細な説明】
【技術分野】
【０００１】
本発明は理美容室のタオル収納構造物に関し、特にタオルを収納するために折り畳む作業を不要にしつつ、必要に応じてタオルを１枚ずつ取り出すことができるタオル収納構造物に関するものである。
【背景技術】
【０００２】
従来より、カットやパーマ等を行う理容室や美容室（以下「理美容室」と称す）では、衛生面を考慮して客ごとにタオルを交換する。また、カット前やカット後等に行う洗髪の後に髪の水気をとったり顔を拭いたりするため、一人の客に対して複数枚のタオルを使用することもある。このように理美容室ではタオルの使用頻度が高いので、複数のスタッフが働く理美容室では、一日に使用されるタオルの枚数が数百枚に及ぶこともある。一方、作業の効率を高めるために、洗髪やパーマ等を行う作業室のシャンプー台の近くにタオルを収納して、必要に応じてタオルを簡単に取り出せるようにしておく必要がある。
【０００３】
そこで、シャンプー台の近くにキャビネットを設置して、折り畳んだタオルを上下に積み重ねてキャビネット内に収納する技術がある（特許文献１）。特許文献１に開示される技術では、キャビネットの下方に開口した取出口から、積み重ねた一番下のタオルを掴んで引き下ろして１枚ずつ取り出すことができる。
【先行技術文献】
【特許文献】
【０００４】
【特許文献１】特開２００２−６５３５８号公報
【発明の概要】
【発明が解決しようとする課題】
【０００５】
しかしながら特許文献１に開示される技術では、洗濯・乾燥を終えたタオルをキャビネットに収納するために１枚ずつ折り畳む必要がある。タオルを１枚ずつ折り畳む作業は非常に煩雑である。特に、一日に使用されるタオルの枚数が数百枚に及ぶこともある理美容室では、数百枚のタオルを折り畳むために毎日多大な労力を要するという問題があった。
【０００６】
本発明は上述した問題を解決するためになされたものであり、タオルを収納するために折り畳む作業を不要にしつつ、必要に応じてタオルを１枚ずつ取り出すことができる理美容室のタオル収納構造物を提供することを目的とする。
【課題を解決するための手段および発明の効果】
【０００７】
この目的を達成するために請求項１記載の理美容室のタオル収納構造物によれば、筒状に形成されると共に鉛直方向に軸方向を向けて配置されるタオル収納部に、無造作に丸められたタオルが補充口から上下に重ねて収納される。折り畳むことなく無造作に丸めた状態でタオルを収納できるので、タオルを折り畳む作業を不要にできる。また、タオル収納部の鉛直方向下側に開口する取出口は、無造作に丸められたタオルをタオル収納部の水平面に投影したときの投影面と、少なくとも一部が重なるように内縁の大きさが設定されている。これにより、タオル収納部に収納されたタオルが取出口から自然に落下することを防止できる。取出口に露呈したタオルを掴んで引き下ろすことで、タオルを１枚ずつ取り出すことができる。よって、収納のためにタオルを折り畳む作業を不要にしつつ、必要に応じてタオルを１枚ずつ取り出すことができる効果がある。
【０００８】
請求項２記載の理美容室のタオル収納構造物によれば、タオル収納部は、無造作に丸められたタオルが水平方向に２以上並ばない大きさに水平方向の内寸が設定されている。その結果、重力によって取出口に向かって落下しようとする２以上のタオルが、互いに水平方向に干渉してタオル収納部内で詰まってしまうことを防止できる。これにより、請求項１の効果に加え、タオル収納部内でタオルが詰まって取出口に到達しない不具合が生じることを防止できる効果がある。
【０００９】
請求項３記載の理美容室のタオル収納構造物によれば、タオル収納部は、作業室の奥行方向に複数が隣接して並設されている。これにより、タオルを折り畳んで収納する場合と比較して、タオル収納部が占有するスペースを広げずに同等数のタオルを収納できる。即ち、タオルは無造作に丸めた状態でタオル収納部に収納されるので、タオルを折り畳んで収納する場合と比較して、厚さが大きくなる。そのため、タオル収納部の鉛直方向の長さが同じであれば、タオルを無造作に丸めた場合は、タオルを折り畳んだ場合と比較して、収納できるタオルの枚数が減る。一方、タオルを無造作に丸めた場合は、タオルを折り畳んだ場合と比較して、占有面積（タオルを水平面に投影したときの投影面）を小さくできる。これを利用して、作業室の奥行方向に複数のタオル収納部を隣接して並設することで、請求項１又は２の効果に加え、タオルを折り畳んだ状態で積み重ねて収納する場合と比較して、タオル収納部が占有するスペースを広げずに収納できるタオルの数を確保できる効果がある。
【００１０】
請求項４記載の理美容室のタオル収納構造物によれば、タオル収納部は、軸方向に延設される板状の延設部を挟んで作業室の手前側および奥側に２つが隣接して並設される。タオル収納部のそれぞれに形成された取出口は延設部を挟んで互いに隣接しているので、並設されたタオル収納部の鉛直方向下側の略中央に手をやると、いずれかの取出口に露呈したタオルを掴むことができる。よって、請求項３の効果に加え、タオルを取り損ない難くできる効果がある。
【００１１】
請求項５記載の理美容室のタオル収納構造物によれば、水平方向に軸方向を向けた支軸が、タオル収納部の下部に配置され、タオル収納部は、支軸を中心に傾倒可能に構成される。支軸を中心にタオル収納部を傾倒することで、補充口の位置を低くすることができる。これにより、請求項１から４のいずれかの効果に加え、タオル収納部に補充口からタオルを収納し易くできる効果がある。
【図面の簡単な説明】
【００１２】
【図１】（ａ）は理美容室の作業室内から視た第１実施の形態における理美容室のタオル収納構造物の正面図であり、（ｂ）は図１（ａ）のＩｂ−Ｉｂ線におけるタオル収納構造物の断面図である。
【図２】図１（ａ）のＩＩ−ＩＩ線におけるタオル収納構造物の断面図である。
【図３】（ａ）は理美容室の作業室内から視た第２実施の形態における理美容室のタオル収納構造物の正面図であり、（ｂ）は図３（ａ）のＩＩＩｂ−ＩＩＩｂ線におけるタオル収納構造物の断面図である。
【図４】前面板を開放したタオル収納構造物の正面図である。
【図５】図４のＶ−Ｖ線におけるタオル収納構造物の断面図である。
【図６】第３実施の形態におけるタオル収納構造物の断面図である。
【図７】図６の矢印ＶＩＩ方向から視たタオル収納構造物の底面図である。
【発明を実施するための形態】
【００１３】
以下、本発明の好ましい実施の形態について、添付図面を参照して説明する。図１及び図２を参照して、本発明の第１実施の形態における理美容室のタオル収納構造物１について説明する。図１（ａ）は理美容室の作業室Ｗ内から視た第１実施の形態におけるタオル収納構造物１の正面図である。なお、本実施の形態におけるタオル収納構造物１は、作業室Ｗの内壁を正面視して壁面に沿って左右方向に複数が列設されるが、図１（ａ）では便宜的にそのうちの一部を図示し、残部の図示を省略する（図１（ｂ）において同じ）。
【００１４】
図１（ａ）に示すようにタオル収納構造物１は、理美容室で洗髪やパーマ等が行われる作業室Ｗの一部として壁に造り付けられおり、壁面に埋設される一対の柱部材２に支持される。柱部材２は、床面３から天井４に亘って延びる板状の部材であり、一対の柱部材２（但し、図１（ａ）には一方の柱部材２を図示して、他方の柱部材２は図示を省略する）が互いに所定の間隔をあけて対峙され、一対の柱部材２の下部側に天板５が架設される。天板５は、シャンプーや道具類等を上面に載せるカウンターとして利用される板状の部材である。天板５は、柱部材２間に配置された１乃至複数の補強板６により下方から支持される。天板５の近くにシャンプー台（図示せず）が設置される。
【００１５】
側板７は、天板５の奥側の端部に壁面に沿って立設される板状の部材である。側板７の上部であって天板５の上方に、天板５と所定の間隔をあけてタオル収納構造物１が配置され、タオル収納構造物１の上部に小壁８が設けられる。タオル収納構造物１は、前面板１０の裏側にタオルを収納するスペースが設けられている。前面板１０はパネル状の板材であり、左右方向に延びる棒状の取手１１が略中央に取着されている。
【００１６】
次に図１（ｂ）及び図２を参照して、タオル収納構造物１の内部構造を説明する。図１（ｂ）は図１（ａ）のＩｂ−Ｉｂ線におけるタオル収納構造物１の断面図であり、図２は図１（ａ）のＩＩ−ＩＩ線におけるタオル収納構造物１の断面図である。図１（ｂ）及び図２に示すようにタオル収納構造物１は、前面板１０と、前面板１０の背面に固定される筒状部材２０とを主に備え、筒状部材２０が、背面板１２、上面板１３（図２参照）、縦板１４、第１支持部材１５及び第２支持部材１６によって形成される箱型の空間Ｓに収容される。なお、図１（ｂ）ではストッパ３０（後述する）の図示は省略する。
【００１７】
背面板１２は、柱部材２の奥側の端縁に鉛直方向に沿って配置される板状の部材であり、背面板１２の上部および下部から上面板１３及び第１支持部材１５がそれぞれ手前側（図２左方向）に突設される。上面板１３及び第１支持部材１５はいずれも水平に配置されると共に、壁面の左右方向（図１（ｂ）左右方向、図２紙面垂直方向）に延設される。第２支持部材１６は、第１支持部材１５と所定の間隔をあけて第１支持部材１５に対して水平方向手前側（図２左側）に配置される部材であり、第１支持部材１５に対して平行となるように左右方向（図１（ｂ）左右方向、図２紙面垂直方向）に延設される。
【００１８】
第１支持部材１５及び第２支持部材１６は、長手方向両端が柱部材２に固定されており、所定の間隔をあけて第１支持部材１５及び第２支持部材１６間に架設される複数の連結部材（図示せず）により互いに連結されている。第１支持部材１５と第２支持部材１６との間隔は、筒状部材２０の取出口２７（後述する）の大きさより大きめに設定される。縦板１４は、柱部材２間を所定の間隔に区画する板状の部材であり、背面板１２、上面板１３、第１支持部材１５及び第２支持部材１６に固定されると共に、柱部材２と平行となるように配設される。
【００１９】
筒状部材２０は、鉛直方向（図２上下方向）に軸方向（長手方向）を向けて、第１支持部材１５及び第２支持部材１６に載置される筒状の木製の部材であり、両端が開口する。筒状部材２０は、第１支持部材１５及び第２支持部材１６に載置された状態において、図１（ｂ）に示すように、平面視して左右（図１（ｂ）左右方向）の幅に対して奥行き（図１（ｂ）上下方向）が短い矩形筒状に形成される。筒状部材２０は、格子状の仕切板２１が内側に配置され、軸方向に沿う４つの区域に仕切られている。筒状部材２０の内面および仕切板２１は平滑な表面が形成されており、仕切板２１で筒状部材２０の内側に作られた４つの区域が、それぞれタオル収納部２２を構成する。
【００２０】
タオル収納部２２は、無造作に丸めたタオルＴを上下に重ねて収納するための部位であり、それぞれが矩形筒状に形成されており、鉛直方向下側の一端に取出口２７が開口し（図２参照）、他端側に補充口２８が開口する。そのため、無造作に丸めたタオルＴを補充口２８から入れて、タオルＴを上下に重ねて収納し、収納されたタオルＴを取出口２７から取り出すことができる。筒状部材２０の内面および仕切板２１は平滑な表面が形成されているので、タオル収納部２２に収納されたタオルＴを、スムーズに取出口２７に向かわせることができる。
【００２１】
タオル収納部２２は、格子状の仕切板２１で筒状部材２０を仕切ることで複数形成されているので、１の筒状部材２０において、作業室Ｗの手前側および奥側にタオル収納部２２が２つ隣接して並設され、作業室Ｗの左右方向に２つが隣接して並設される。仕切板２１によって筒状部材２０を区画することで、各タオル収納部２２は、平面視して左右の幅に対して奥行きが短い矩形の筒状に形成される。タオル収納部２２の奥行き及び左右の幅（水平方向の内寸）は、収納されるタオルＴの大きさを考慮して、無造作に丸められたタオルＴが水平方向に２以上並ばない大きさにいずれも設定されている。
【００２２】
その結果、重力によって取出口２７に向かって落下しようとする２以上のタオルＴが、互いに水平方向に干渉してタオル収納部２２内で詰まってしまうことを防止できる。これにより、タオル収納部２２内でタオルＴが詰まって取出口２７に到達しない不具合が生じることを防止できる。
【００２３】
なお、理美容室で髪の水気をとったり顔を拭いたりするために使用されるタオルであれば、無造作に丸めることで、握りこぶし大より少し大きめのまとまりにすることができる。一般に、一つの理美容室では一定の大きさ及び厚さのタオルを使用するので、タオルを無造作に軽く丸めることで、不定形ではあるが略一定の大きさにすることができる。
【００２４】
また、タオル収納構造物１は理美容室内で使用されるので、タオル収納部２２の高さは大きいものでも１ｍ程度である。タオル１枚の質量は比較的小さいので、丸めたタオルをタオル収納部２２内に一杯に積み重ねても、取出口２７付近のタオルＴが自重で潰れてしまうことはない。従って、広げた状態のタオルの大きさ及び厚さを特定すれば、無造作に丸めたタオルＴのおよその大きさ及びそれを収納するタオル収納部２２の水平方向の内寸を決定できる。
【００２５】
取出口２７は、タオル収納部２２に収納されたタオルＴを取り出す開口であり、筒状部材２０の鉛直方向下端に配設される張出部２３，２４、横板２５，２６及び仕切板２１により内縁が形成される。張出部２３，２４は、筒状部材２０の鉛直方向下端の対向する長辺に、筒状部材２０の軸方向（図１（ｂ）紙面垂直方向）と直交して配設される一対の板状の部材であり、横板２５，２６は、筒状部材２０の鉛直方向下端の対向する短辺および仕切板２１の交差部分に、筒状部材２０の軸方向と直交して配設される板状の部材である。
【００２６】
張出部２３，２４及び横板２５，２６は、筒状部材２０の端部の開口面積を縮小するように筒状部材２０の端部に固設される。また、タオル収納部２２が鉛直方向に配置された状態において、無造作に丸められたタオルＴをタオル収納部２２の水平面に投影したときの投影面Ｐ（図１（ｂ）参照）と、少なくとも一部が重なるように取出口２７の内縁の大きさが設定される。これにより、タオル収納部２２に収納されたタオルＴが重力によって取出口２７から自然に落下することを防止できる。
【００２７】
一対の張出部２３，２４は、筒状部材２０の鉛直方向下端に位置する対向する長辺に配設されるので、作業室Ｗの手前側および奥側に２つが隣接するタオル収納部２２の取出口２７は、薄い仕切板２１を挟んで隣接される。また、横板２５，２６は、筒状部材２０の鉛直方向下端に位置する対向する短辺および仕切板２１の交差部分に配設されるので、作業室Ｗの横方向に２つが隣接するタオル収納部２２の取出口２７は、仕切板２１の交差部分に配設される横板２６の幅の分だけ離隔される。
【００２８】
図２に示すように筒状部材２０は、軸方向を上下に向けて前面板１０の背面に固定される。前面板１０は、筒状部材２０の上下方向長さより上下方向長さが少し大きめに設定されると共に、筒状部材２０の左右方向長さより左右方向長さが少し大きめに設定されている。前面板１０は、長蝶番により構成される支軸２９が下端部に設けられ、支軸２９（長蝶番）により第２支持部材１６と連結される。これにより、前面板１０は第２支持部材１６に対して支軸２９を中心に作業室Ｗ側（図２左側）に傾倒可能となる。筒状部材２０は前面板１０の背面に固定されているので、前面板１０の傾倒に伴い、筒状部材２０も作業室Ｗ側に傾倒可能となる。
【００２９】
張出部２４は、傾倒可能に構成された前面板１０が鉛直方向に起立する状態において、第２支持部材１６に張出部２４の厚さ方向の１面が密接されるように筒状部材２０の端部に固定される。即ち、筒状部材２０は、張出部２４を介して第２支持部材１６に載置される。張出部２４を介して第２支持部材１６に筒状部材２０が載置されることで、筒状部材２０の傾倒により第２支持部材１６と干渉して筒状部材２０が破損することを防止できる。筒状部材２０の手前側（図２左側）は、筒状部材２０の奥側と比較して支軸２９の近くに位置するので、筒状部材２０の傾倒により第２支持部材１６と干渉して圧縮力やこじり力を受け易いところ、張出部２４により筒状部材２０と第２支持部材１６との干渉を阻止できるからである。
【００３０】
このようにして傾倒操作に伴う筒状部材２０の端部の破損を抑制できるので、筒状部材２０に必要以上の機械的強度をもたせる必要がない。その結果、筒状部材２０の板厚を薄くできるので、筒状部材２０を軽量化できる。そのため、前面板１０及び筒状部材２０を傾倒させる作業に要する労力を軽減できる。
【００３１】
背面板１２及び上面板１３は、第１支持部材１５及び第２支持部材１６に筒状部材２０が載置された状態で、筒状部材２０とそれぞれ所定の間隔ができる位置に配置される。上面板１３と筒状部材２０との間隔を設けることにより、筒状部材２０を傾倒するときに筒状部材２０が上面板１３に干渉することを防止できるので、筒状部材２０をスムーズに傾倒できる。また、背面板１２と筒状部材２０との間隔を設けることにより、背面板１２と筒状部材２０との隙間にチェーンやロープ等のストッパ３０を弛緩した状態で収容できる。ストッパ３０は、筒状部材２０の傾倒量を緊張して制限するための部材であり、一端が背面板１２に固定され、他端が筒状部材２０の奥側上部に固定されている。ストッパ３０の長さは、筒状部材２０が傾倒してストッパ３０が緊張したときに、筒状部材２０が略水平になるように設定されている。
【００３２】
タオル収納構造物１によれば、前面板１０の背面に筒状部材２０が固定されるので、タオルＴを収納するときには、取手１１を掴んで支軸２９を中心に前面板１０を手前側（作業室Ｗ側）に傾倒すると、筒状部材２０が前面板１０と一体に傾倒される。ストッパ３０を緊張させて筒状部材２０が略水平に傾倒した状態に保たれると、補充口２８の高さが、天板５（図１（ａ）参照）より少し高い位置に固定される。そして、洗濯・乾燥したタオルＴを無造作に丸めて、補充口２８からタオル収納部２２内に収納する。筒状部材２０を傾倒させることで補充口２８の高さを低くできるので、丸めたタオルＴをタオル収納部２２に補充する作業を容易にできる。
【００３３】
仮に、筒状部材２０を略水平に傾倒した状態に保ち、折り畳んだタオルを積み重ねて収納する場合には、折り畳まれたタオルを補充口２８から挿入すると、タオル収納部２２内でタオルが倒れたりくしゃくしゃになったりするという問題が生じる。これに対しタオル収納構造物１によれば、無造作に丸めたタオルＴを収納するので、これらの問題を解決できる。
【００３４】
また、前面板１０は、筒状部材２０の上下方向長さより上下方向長さが少し大きめに設定されているので、傾倒した筒状部材２０から手前に迫り出した前面板１０にタオルＴを仮置きすることも可能である。さらに、筒状部材２０を傾倒すると、複数（本実施の形態では４つ）のタオル収納部２２にタオルＴを収納できるので、タオルＴの補充作業の効率を向上できる。
【００３５】
タオルＴを収納した後、支軸２９を中心に前面板１０及び筒状部材２０を回動し、前面板１０及び筒状部材２０を起立させる。そうすると、筒状部材２０は縦板１４（図１（ｂ）参照）、背面板１２、上面板１３、第１支持部材１５及び第２支持部材１６に囲まれた空間内に収容されると共に、前面板１０の背面に隠蔽される。これにより作業室Ｗ内から筒状部材２０を視認できなくなるので美麗にできる。
【００３６】
筒状部材２０が起立されると、タオル収納部２２内にタオルＴが上下に重ねて収納される。筒状部材２０の鉛直方向下側に開口する取出口２７は、内側に向かって突設する張出部２３，２４によって開口面積が狭められているので、張出部２３，２４に妨げられてタオルＴが自然に落下することが防止される。タオルＴは重力によって取出口２７に露呈するので、取出口２７に露呈したタオルＴを掴んで引き下ろすことで、タオルＴを１枚ずつ取り出すことができる。その結果、収納のためにタオルＴを折り畳む作業を不要にしつつ、必要に応じてタオルＴを１枚ずつ取り出すことができる。タオルＴが１枚取り出されると、その上に位置するタオルＴが重力によって取出口２７に現れる。
【００３７】
また、作業室Ｗの手前側および奥側に複数（本実施の形態では２つ）のタオル収納部２２を隣接して並設することで、折り畳んだタオルを平積みして収納する場合の占有面積と同等の占有面積で、折り畳んだタオルを平積みして収納する場合と同等数のタオルＴを収納できる。即ち、タオル収納構造物１は、タオルＴを無造作に丸めた状態でタオル収納部２２に収納するので、折り畳んだタオルを平積みする場合と比較して、タオル１枚当たりの厚さが大きくなる。そのため、タオル収納部２２の上下方向の長さが同じであれば、タオルＴを無造作に丸めた場合は、タオルＴを折り畳んだ場合と比較して、収納できるタオルＴの枚数が減る。
【００３８】
一方、タオルＴを無造作に丸めた場合は、折り畳んだタオルを平積みする場合と比較して、占有面積（タオルＴを水平面に投影したときの投影面）を小さくできる。これを利用して、作業室Ｗの手前側および奥側に複数のタオル収納部２２を隣接して並設することで、折り畳んだタオルを平積みにする場合と比較して、タオル収納部２２が占有するスペース（特に幅方向のスペース）を広げずに、収納できるタオルＴの数を確保できる。
【００３９】
また、取出口２７の内縁の３辺は張出部２３，２４及び横板２５，２６により形成されるが、１辺は仕切板２１により形成されている。張出部２３，２４及び横板２５，２６は軸方向と直交する方向に張り出しているが、仕切板２１は張出部２３，２４や横板２５，２６のように軸方向と直交する方向に張り出す部位がない。そのため、張出部２３，２４及び横板２５，２６によって落下が阻止されたタオルＴを掴んで、仕切板２１に沿ってスムーズに引き下ろすことができる。このように、軸方向と直交する方向に張り出す部位をもたない仕切板２１を取出口２７に設けることで、タオルを引き下ろし易くできる。
【００４０】
また、タオル収納部２２は作業室Ｗの手前側および奥側に２つが隣接して並設されており、タオル収納部２２のそれぞれに形成された取出口２７は、薄い仕切板２１を挟んで互いに隣接しているので、並設されたタオル収納部２２の鉛直方向下側の略中央に手をやると、手前側または奥側のいずれかの取出口２７に露呈したタオルＴを掴むことができる。タオルＴを取り損ない難くできるので、作業効率が低下することを防止できる。また、作業室Ｗの手前側および奥側に配置されたタオル収納部２２のいずれか一方のタオルＴがなくなった場合でも、他方にタオルが残っていれば、手を伸ばした位置をほとんど変えずにタオルＴを掴んで引き下ろすことができる。
【００４１】
また、作業室Ｗの左右方向に隣接して並設されたタオル収納部２２のそれぞれに形成された取出口２７は、仕切板２１の交差部分に配設された横板２６の幅の分だけ離隔されている。横板２６の幅は、取手１１の左右方向（図１（ａ）左右方向）の長さと略同一に設定されているので、取出口２７の左右方向の位置は、取手１１の両端の左右方向の位置とほぼ同じところに存在する。そのため、取手１１の位置を目安に手を伸ばせば、取出口２７に露呈するタオルＴを掴むことができる。
【００４２】
次に図３から図５を参照して第２実施の形態について説明する。第１実施の形態では、タオル収納部２２が形成された筒状部材２０が前面板１０の背面に固定される場合について説明した。これに対し第２実施の形態では、タオル収納部２２が形成された筒状部材２０が、前面板１０と分離して構成される場合について説明する。なお、第１実施の形態と同一の部分については、同一の符号を付して以下の説明を省略する。
【００４３】
図３（ａ）は理美容室の作業室Ｗ内から視た第２実施の形態における理美容室のタオル収納構造物４１の正面図である。本実施の形態におけるタオル収納構造物４１は、作業室Ｗの内壁を正面視して壁面に沿って左右方向に複数が列設されるが、図３（ａ）では便宜的にそのうちの一部を図示し、残部の図示を省略する（図３（ｂ）において同じ）。図３（ａ）に示すようにタオル収納構造物４１は、パネル状の板材からからなる前面板４２と、前面板４２の背面側に配置される木製の筒状部材４３とを主に備えている。前面板４２は、縦板１４に蝶番４４で連結されて両開き戸（観音開き戸）に構成されている。
【００４４】
図３（ｂ）は図３（ａ）のＩＩＩｂ−ＩＩＩｂ線におけるタオル収納構造物４１の断面図である。なお、図３（ｂ）ではストッパ３０の図示は省略する。図３（ｂ）に示すように筒状部材４３は、前面板４２の背面に配置された状態において、平面視して左右の幅に対して奥行きが長い矩形筒状に形成される。筒状部材４３は、板状の仕切板４５が内側に配置され、軸方向（図３（ｂ）紙面垂直方向）に沿う２つの区域に仕切られている。筒状部材４３の内面および仕切板４５は平滑な表面が形成されており、仕切板４５で筒状部材４３の内側に作られた２つの区域が、それぞれタオル収納部４６を構成する。
【００４５】
タオル収納部４６は、無造作に丸めたタオルＴ（図５参照）を上下に重ねて収納するための部位であり、それぞれが矩形筒状に形成されており、鉛直方向下側の一端に取出口４９が開口し、他端側に補充口５０が開口する。タオル収納部４６は、仕切板４５で筒状部材４３を２つに仕切ることで形成されているので、１の筒状部材４３において、作業室Ｗの手前側および奥側にタオル収納部４６が２つ隣接して並設される。
【００４６】
各タオル収納部４６は、平面視して左右の幅に対して奥行きが短い矩形の筒状に形成されており、奥行き及び左右の幅（水平方向の内寸）は、無造作に丸められたタオルＴが水平方向に２以上並ばない大きさにいずれも設定されている。その結果、重力によって取出口４９に向かって落下しようとする２以上のタオルＴが、互いに水平方向に干渉してタオル収納部４６内で詰まってしまうことを防止できる。
【００４７】
取出口４９は、筒状部材４３の鉛直方向下端に配設される張出部４７，４８及び仕切板４５により内縁が形成される。張出部４７，４８は、筒状部材４３の鉛直方向下端の対向する短辺に、筒状部材４３の軸方向と直交して配設される一対の板状の部材である。
【００４８】
図４は前面板４２を開放したタオル収納構造物４１の正面図である。なお、図４では、開放した前面板４２の図示を省略する。図４に示すように筒状部材４３は、縦板１４間の第１支持部材１５（図５参照）及び第２支持部材１６にそれぞれ載置され起立される。作業室Ｗに面する筒状部材４３の正面の上下方向中ほどには、左右方向に延びる透孔５１が貫通形成されている。
【００４９】
図５は図４のＶ−Ｖ線におけるタオル収納構造物４１の断面図である。筒状部材４３は、長蝶番により構成される支軸５２が下端部（張出部４８）に設けられ、支軸５２により第２支持部材１６と連結される。これにより、筒状部材４３は第２支持部材１６に対して支軸５２を中心に作業室Ｗ側（図５左側）に傾倒可能となる。筒状部材４３より板厚を大きくできる張出部４８に長蝶番（支軸５２）が取り付けられるので、支軸５２の取付強度を確保できる。
【００５０】
タオル収納構造物４１によれば、タオルＴを収納するときには、前面板４２を開けた後、筒状部材４３に形成された透孔５１に手の指を掛けて引き寄せ、支軸５２を中心に筒状部材４３を手前側（作業室Ｗ側）に傾倒し、ストッパ３０を緊張させて筒状部材４３を略水平に傾倒した状態に保つ。補充口５０の高さが、天板５（図３（ａ）参照）より少し高い位置に固定されるので、タオル収納部４６にタオルＴを補充する作業を容易にできる。タオルＴを収納した後、支軸５２を中心にして筒状部材４３を回動し筒状部材４３を起立させる。前面板４２を閉じて筒状部材４３を前面板４２の背面に隠蔽することで、美麗にできる。
【００５１】
また、取出口４９の内縁の１辺は張出部４７，４８により形成されるが、３辺は仕切板４５及び筒状部材４３により形成されている。張出部４７，４８は軸方向（図３（ｂ）垂直方向）と直交する方向に張り出しているが、仕切板４５及び筒状部材４３は張出部４７，４８のように軸方向と直交する方向に張り出す部位がない。そのため、張出部４７，４８によって取出口４９から落下が阻止されたタオルＴを掴んで、仕切板４５及び筒状部材４３に沿ってスムーズに引き下ろすことができる。このように仕切板４５を設けることで、タオルＴを引き下ろし易くできる。
【００５２】
なお、筒状部材４３の正面に透孔５１が貫通形成されているので、透孔５１を通してタオル収納部４６に収納されたタオルＴを視認できるか否かによって、透孔５１の高さまでタオルＴが収納されているか否かを判別できる。従って、筒状部材４３を傾倒して補充口５０からタオルＴの収納量を確認しなくても、前面板４２を開放した状態で、透孔５１を利用してタオルＴの量を確認できる。
【００５３】
次に図６及び図７を参照して第３実施の形態について説明する。第１実施の形態および第２実施の形態では、タオル収納部２２，４６が作業室Ｗ側に傾倒可能に構成される可動式のタオル収納構造物１，４１について説明した。これに対し第３実施の形態では、傾倒不能なタオル収納部７２を有する固定式のタオル収納構造物６１について説明する。なお、第１実施の形態と同一の部分については、同一の符号を付して以下の説明を省略する。図６は第３実施の形態におけるタオル収納構造物６１の断面図であり、図７は図６の矢印ＶＩＩ方向から視たタオル収納構造物６１の底面図である。なお、図６及び図７の矢印Ｘ，Ｙ及びＺは、準備室Ｂ（又は作業室Ｗ）の幅方向、奥行方向および高さ方向（鉛直方向）をそれぞれ示している。
【００５４】
図６に示すようにタオル収納構造物６１は、天井４から床面３に向かって天井４に垂下される板状の垂下壁６２と、垂下壁６２の背面側に垂下壁６２と間隔をあけて床面３から天井４に向かって床面３に立設される板状の仕切壁６３との間に設置される。垂下壁６２の下縁と床面３との間、仕切壁６３の上縁と天井４との間には、それぞれ空間が設けられる。
【００５５】
タオル収納構造物６１は、互いに所定の間隔をあけて対向させつつ垂下壁６２と仕切壁６３とに側縁が連結されると共に準備室Ｂの高さ方向（Ｚ方向）に延設される板状の板部材６４と、板部材６４の下縁側に架設されると共に互いに間隔をあけて作業室Ｗの幅方向（Ｘ方向）に延設される第１支持部材６５、第２支持部材６６及び第３支持部材６７と、第１支持部材６５、第２支持部材６６及び第３支持部材６７に載置される筒状部材７０とを備えている。
【００５６】
筒状部材７０は、垂下壁６２、仕切壁６３、板部材６４、第１支持部材６５、第２支持部材６６及び第３支持部材６７によって形成される箱型の空間Ｓ（図７参照）に収容される。筒状部材７０は、開口する一端がタオルＴの補充口７１とされ、内周側にタオル収納部７２が形成される。
【００５７】
図７に示すように、筒状部材７０は円筒状の部材（本実施の形態では合成樹脂製のパイプ材）であり、軸方向を準備室Ｂの高さ方向（Ｚ方向）に向けて、第１支持部材６５、第２支持部材６６及び第３支持部材６７に載置される。筒状部材７０は、内周面が平滑であり、内径が、無造作に丸められたタオルＴが軸方向に１つずつ並ぶ大きさで、且つ、そのタオルＴがスムーズに滑り落ちることができる大きさに設定されている。本実施の形態では、８本の筒状部材７０が作業室Ｗの幅方向（Ｘ方向）に４列、作業室Ｗの奥行方向に２列の格子状に空間Ｓ内に配列されている。筒状部材７０は、互いに側面を密着させることで水平方向の移動が制限される。
【００５８】
第１支持部材６５、第２支持部材６６及び第３支持部材６７は、幅方向（Ｘ方向）に間隔をあけて対向する板部材６４に両端が支持されると共に、奥行方向（Ｙ方向）に筒状部材７０の外径より狭い間隔を設けつつ互いに対向する。これにより筒状部材７０の落下を防止できる。
【００５９】
第１支持部材６５と第３支持部材６７との間、及び、第２支持部材６６と第３支持部材６７との間に、それぞれ一対の中空の棒状部材６８が互いに所定の間隔をあけて配置される。棒状部材６８は、対向する棒状部材６８間にタオルＴを取り出す取出口７３を形成するための部材であり、断面円形状に形成されると共に、無造作に丸められたタオルＴを水平面（図７紙面）に投影したときの投影面（図示せず）が棒状部材６８に重なるように、棒状部材６８の間隔および外径が設定される。
【００６０】
なお、棒状部材６８は、両端が、板部材６４に固定された円筒状の支持部６９にそれぞれ遊挿される。これにより、棒状部材６８は回動可能に支持部６９に軸支される。また、棒状部材６８は中空に形成されているので、軽量化することができ、支持部６９に対して棒状部材６８を軽微な力で回動させることができる。
【００６１】
このタオル収納構造物６１によれば、タオル収納部７２にタオルＴを収納するときには、作業室Ｂ側の仕切壁６３の近くに作業台（図示せず）を置き、その作業台の上に載って補充口７１からタオル収納部７２に、無造作に丸めたタオルＴを補充する。補充口７１から補充されたタオルＴは、筒状部材７０内を滑り落ちて取出口７３で留まる。補充口７１からタオルＴを適量補充することで、タオルＴが１枚ずつ丸まった状態で筒状部材７０の軸方向（Ｚ方向）に並んで収納される。
【００６２】
タオルＴを使用する場合には、取出口７３に留まったタオルＴを掴んで引き下ろす。引き下ろされたタオルＴと棒状部材６８とが擦れ合うことで、タオルＴの引き下ろしに伴って棒状部材６８が回転する。棒状部材６８が回転することで、タオルＴの引き下ろしに伴うタオルＴと棒状部材６８（取出口７３）との摩擦抵抗を小さくできる。その結果、スムーズにタオルＴを１枚ずつ引き下ろすことができる。
【００６３】
また、タオルＴの引き下ろしに伴うタオルＴと棒状部材６８（取出口７３）との摩擦抵抗を小さくできるので、棒状部材６８の間隔、即ち、丸めたタオルＴの大きさ（投影面の面積）に対する取出口７３の大きさを小さくできる。ここで、取出口７３の大きさ（棒状部材６８の間隔）を小さくすると、タオル収納部７２に収納されたタオルＴの自重で、取出口７３からタオルＴが落下してしまうことを防止できる。その反面、取出口７３が小さくなるとタオルＴを引き下ろし難くなるが、棒状部材６８を回動自在にすることで、棒状部材６８の間隔が比較的小さい場合もタオルＴを引き下ろし易くすることができる。その結果、タオルＴを引き下ろし易くしつつ、タオルＴの自重で取出口７３からタオルＴが落下してしまうことを防止できる。
【００６４】
また、棒状部材６８は幅方向（Ｘ方向）に沿って配置されるので、取出口７３は、奥行方向（Ｙ方向）が棒状部材６８によって狭窄されるが、幅方向（Ｘ方向）の寸法を筒状部材７０の内径と同じにできる。取出口７３からタオルＴを引き下ろすときには、タオルＴは棒状部材６８によって奥行方向（Ｙ方向）に押されるが、その分だけ幅方向（Ｘ方向）及び鉛直方向（Ｚ方向）にタオルＴが広がる。取出口７３の幅方向（Ｘ方向）の寸法は筒状部材７０の内径と同じに設定されるので、タオルＴが幅方向（Ｘ方向）に広がり難くなることを防ぎ、タオルＴが引き下ろし難くなることを防止できる。これにより、タオルＴを引き下ろし易くしつつ、タオルＴの自重で取出口７３からタオルＴが落下してしまうことを防止できる。
【００６５】
以上、実施の形態に基づき本発明を説明したが、本発明は上記実施の形態に何ら限定されるものではなく、本発明の趣旨を逸脱しない範囲内で種々の改良変形が可能であることは容易に推察できるものである。
【００６６】
また、上記実施の形態で挙げた各部材の形状や材質は一例であり、他の形状や材質を採用することは当然可能である。例えば、上記第１実施の形態および第２実施の形態では、内部にタオル収納部２２，４６が形成される筒状部材２０，４３が木製の板材で矩形筒状に形成される場合について説明したが、必ずしもこれに限られるものではなく、筒状部材２０，４３の材質を合成樹脂製やアルミニウム合金等の金属製とすることは当然可能である。筒状部材２０，４３を透明または半透明の合成樹脂製とすることにより、タオル収納部２２，４６に収納されたタオルＴの量を筒状部材２０，４３の外側から判別できるので好ましい。第３実施の形態においても同様である。
【００６７】
また、筒状部材２０，４３及びタオル収納部２２，４６の形状を平面視して矩形筒状のものに限定するものではなく、平面視して方形状、円形状、長円状、角丸矩形状、多角形状（五角形や六角形等）等の筒状にすることは当然可能である。さらに、筒状部材２０，４３を板材で形成することに代えて、複数のパイプを軸方向に立設して柵状にすることは当然可能である。この場合も、柵状に形成されたパイプの間から、内側に収納されたタオルＴの量を判別できるので好ましい。
【００６８】
上記各実施の形態では、タオル収納構造物１，４１，６１が作業室Ｗの一部として壁に造り付けられた場合について説明したが、必ずしもこれに限られるものではなく、理美容室に設置されるキャビネットや棚等の一部にタオル収納構造物１，４１，６１を組み込むことは当然可能である。
【００６９】
上記第１実施の形態および第２実施の形態では、タオル収納構造物１，４１が作業室Ｗ側に傾倒可能に構成される場合について説明したが、必ずしもこれに限られるものではなく、準備室（バックヤード）を有する理美容室では、タオル収納構造物１，４１を準備室側に傾倒可能にすることは当然可能である。また、準備室（バックヤード）を有する理美容室では、タオル収納構造物１，４１を傾倒可能にすることなく、第３実施の形態のように、準備室側に補充口２８，５０を開口させることは当然可能である。これにより、準備室側に開口する補充口２８，５０からタオル収納部２２，４６内にタオルＴを収納することができる。その結果、タオル収納構造物を傾倒可能にしない分だけ構造を簡素化することができ、コストを低減できる。また、作業室Ｗ内の作業を中断等することなく、準備室Ｂ側からタオルＴを補充できる。その場合、補充口２８，５０は筒状部材２０，４３の端部に形成する必要はなく、準備室に面した筒状部材２０，４３の端部側の側面に設けることができる。
【００７０】
上記各実施の形態では、作業室Ｗの手前側および奥側にタオル収納部２２，４６，７２が２つ並設される場合について説明したが、必ずしもこれに限られるものではなく、作業室Ｗの奥行方向にタオル収納部を３つ以上並設することは当然可能である。但し、作業室Ｗの奥行方向に設けるタオル収納部の数が多くなるにつれて、手を奥の方まで入れないとタオルを引き出せなくなるので、タオルを引き出す作業性が低下する。よって、作業室Ｗの手前側および奥側（奥行方向）に設けるタオル収納部の数は２つが好適である。
【００７１】
上記第１実施の形態および第２実施の形態では、筒状部材２０，４３が仕切板２１，４５によって仕切られて１の筒状部材２０，４３に複数のタオル収納部２２，４６が形成される場合について説明したが、必ずしもこれに限られるものではない。理美容室のタオルの使用量や理美容室の広さ等に応じて、１の筒状部材２０，４３毎にタオル収納部を１つずつ形成することは当然可能である。
【００７２】
また、仕切板２１，４５を設けずに、第３実施の形態のように、複数の筒状部材２０，４３，７０を並べて、タオル収納部を並設することは当然可能である。さらに、筒状部材２０，４３，７０が矩形筒状、角丸筒状、円筒状等の平板状や湾曲板状の側面（延設部）を有する場合には、その側面同士が密着するように複数の筒状部材２０，４３，７０を並べることで、筒状部材２０，４３，７０の側面（延設部）を挟んでタオル収納部を隣接できる。
【００７３】
上記第２実施の形態では、前面板４２が両開き戸の場合について説明したが、必ずしもこれに限られるものではなく、片開き戸、引き戸等にすることは当然可能である。
【００７４】
上記第３実施の形態では、取出口７３の一部を構成する棒状部材６８が回動自在（支持部６９に軸支された状態）に構成される場合について説明したが、必ずしも棒状部材６８を回動自在にする必要はない。棒状部材６８は断面円形の棒状に形成されているので、タオルＴを引き下ろすときに棒状部材６８間を滑り下ろし易くできるからである。
【符号の説明】
【００７５】
１，４１，６１    タオル収納構造物
２１，４５        仕切板（延設部）
２２，４６，７２  タオル収納部
２７，４９，７３  取出口
２８，５０，７１  補充口
２９，５２        支軸
７０              筒状部材（延設部）
Ｐ                投影面
Ｔ                タオル
Ｗ                作業室
【図１】
2015139483.tif 000003
【図２】
2015139483.tif 000004
【図３】
2015139483.tif 000005
【図４】
2015139483.tif 000006
【図５】
2015139483.tif 000007
【図６】
2015139483.tif 000008
【図７】
2015139483.tif 000009